(57)【特許請求の範囲】
【請求項１】
半開きに見開いた状態の書籍のほぼ水平の状態に置かれた撮影する頁の表面に、接触させて、ほぼ水平の状態に配置する平面状の台座と、前記半開きに見開いた書籍の前記撮影する頁と連結されている撮影しない頁の表面を、接触させて支持する前記台座と連結された平面状の壁部材と、前記台座に対して所定の間隔を設けて上方に配置され、写真撮影手段を設置するための部材と、を備え、前記台座と前記壁部材とのなす角度が８０°から９０°の角度になるように設定されており、前記写真撮影手段を用いて撮影可能としたことを特徴とする書籍撮影装置。
【請求項２】
前記写真撮影手段の近傍に配置された照明装置が備え付けられ、前記半開きに見開いた書籍の撮影する頁を前記照明装置により照明しつつ撮影可能としていることを特徴とする請求項１記載の書籍撮影装置。
【請求項３】
半開きに見開いた状態の書籍のほぼ水平の状態に置かれた撮影する頁の表面に、接触させて、ほぼ水平の状態に配置する平面状の台座と、前記半開きに見開いた書籍の前記撮影する頁と連結されている撮影しない頁の表面を、接触させて支持する前記台座と連結された平面状の壁部材を含むフード部材と、前記台座に対して所定の間隔を設けて上方に配置され、写真撮影手段を設置するための部材と、前記写真撮影手段の近傍に配置された照明装置と、を備え、前記台座と前記壁部材とのなす角度が８０°から９０°の角度になるように設定されており、前記半開きに見開いた書籍の撮影する頁を前記照明装置により照明しつつ、前記写真撮影手段を用いて撮影可能としたことを特徴とする書籍撮影装置。
【請求項４】
前記ほぼ水平の状態に配置する平面状の台座は、透明度が高い平面状の部材、又は、開口部を有する枠状の板部材で構成されることを特徴とする請求項１から３いずれか記載の書籍撮影装置。
【請求項５】
前記ほぼ水平の状態に配置する平面状の台座と、前記平面状の壁部材とは、折り曲げ可能であり、柔軟な材料により構成されることを特徴とする請求項１〜４いずれか記載の書籍撮影装置。
【請求項６】
前記照明装置が前記フード部材の内側に固定設置されていることを特徴とする請求項３〜５いずれか記載の書籍撮影装置。
【請求項７】
前記写真撮影手段がリモートコントロール操作により遠隔操作されることを特徴とする請求項１〜６いずれか記載の書籍撮影装置。
【請求項８】
前記台座と壁部材とが、個別に形成されており、書籍撮影に際して両者を組み合わせて使用することを特徴とする請求項１〜７いずれか記載の書籍撮影装置。
【請求項９】
前記ほぼ水平の状態に配置する平面状の台座と、前記平面状の壁部材とが、相対的に回転移動可能に連結されており、書籍の撮影に際して、前記半開きに見開いた状態の書籍のほぼ水平の状態に置かれた撮影する頁の表面に、前記台座を接触させて配置し、前記壁部材とのなす角度を決めて固定することを特徴とする請求項１〜８いずれか記載の書籍撮影装置。
【請求項１０】
前記フード部材の端部が、前記台座の前記壁部材を、はさんだ両端部に設けた２つの支持部材により回転可能に固定されており、前記フードを回動させて、半開きに見開いた状態の書籍のほぼ水平の状態に置かれた撮影する頁の表面に接触させて、ほぼ水平の状態に配置する平面状の台座を可視できることを特徴とする請求項３〜９いずれか記載の書籍撮影装置。
【請求項１１】
半開きに見開いたほぼ水平の状態に置かれた書籍の撮影する頁が載置される、ほぼ水平の状態の台座、前記半開きに見開いた書籍の前記撮影する頁と連結されている書籍の撮影しない頁が載置される平面状の壁部材を含むフード部材と、前記台座に対して所定の間隔を設けて上方に配置され、写真撮影手段を設置するための部材と、前記写真撮影手段の近傍に配置された照明装置と、を備え、前記台座と前記台座と前記壁部材とのなす角度が８０°から９０°の角度になるように設定されており、前記半開きに見開いた書籍の撮影する頁を前記照明装置により照明しつつ、前記写真撮影手段を用いて撮影可能としたことを特徴とする書籍撮影装置。
【請求項１２】
前記半開きに見開いた書籍の撮影する頁の表面に接触して、開口部を有する枠状の板部材が設けられていることを特徴とする請求項１１記載の書籍撮影装置。
【請求項１３】
前記ほぼ水平の状態に配置する平面状の台座と、前記平面状の壁部材とは、折り曲げ可能であり、柔軟な材料により構成されることを特徴とする請求項１１又は１２に記載の書籍撮影装置。
【請求項１４】
前記照明装置が前記フード部材の内側に固定設置されていることを特徴とする請求項１１〜１３いずれか記載の書籍撮影装置。
【請求項１５】
前記写真撮影手段がリモートコントロール操作により遠隔操作されることを特徴とする請求項１１〜１４いずれかに記載の書籍撮影装置。
【請求項１６】
前記台座と壁部材とが、個別に形成されており、書籍撮影に際して両者を組み合わせて使用することを特徴とする請求項１１〜１５いずれか記載の書籍撮影装置。
【請求項１７】
前記ほぼ水平の状態に配置する平面状の台座と、前記平面状の壁部材とが、相対的に回転移動可能に連結されており、書籍の撮影に際して、前記半開きに見開いた状態の書籍のほぼ水平の状態に置かれた撮影する頁の表面に、前記台座を接触させて配置し、前記壁部材とのなす角度を決めて固定することを特徴とする請求項１１〜１６いずれか記載の書籍撮影装置。
【請求項１８】
前記フード部材の端部が、前記台座の前記壁部材を、はさんだ両端部に設けた２つの支持部材により回転可能に固定されており、前記フードを回動させて、半開きに見開いた状態の書籍のほぼ水平の状態に置かれた撮影する頁の表面に接触させて、ほぼ水平の状態に配置する平面状の台座を可視できることを特徴とする請求項１１〜１７いずれか記載の書籍撮影装置。
【発明の詳細な説明】
【技術分野】
【０００１】
本発明は、簡易書籍撮影装置に関するものである。
【背景技術】
【０００２】
複写機の普及により、書籍や雑誌等（以下、単に書籍と言う）の必要とされている部分を簡便に複写することが行われる。撮影しようとしている、見開いた部分を複写機のガラス板上に載せて、書籍全体を押圧して見開いた部分がガラス板に接した状態として複写を行う。複写しようとする書籍の撮影箇所が、見開いた状態で、厚みが相違することがある。厚さが薄い部分には複写機の覆いの力はかけることができず、複写を上手にすることができないことが生ずる。そこで、図１１に示すように複写機１０のガラス表面１２上の見開いた書籍による厚みの薄い片側に雑誌等の調節手段１３を差込んで、調整し、その後、覆い１１により全体を押圧して複写を行う。このような手段を講じても見開いている部分全体を平面化することができず、全面を複写することは困難となる。
【０００３】
これらのことがあるので、複写する場合には、写真撮影が採用される。写真撮影を行うにしても、本を平面状に見開きの状態に保つことが困難とされる（図１０（ａ））。これを解決すべく、 ガラスや透明プラスチック等の透明板を書籍の表面を覆う（図１０（ｂ））。
又、透明板の外縁を保持する枠体と、該枠体内で前記透明板と共に原稿を挟む抑え板と、該抑え板を前記透明板方向へ弾発するばね等の押圧具とを有する写真撮影用原稿支持装置が考案されている（特許文献1実開平５−５５４１６号公報）。このような努力を行っても、見開きの部分について全面を平面状にして複写することは困難であり、本を押し広げることにより本が傷みやすく、また労力を必要とすることにかわりはない。
【０００４】
一般的な写真撮影装置としては、図１０の装置が用いられる。
写真撮影装置は、被写体を載置するための撮影台としてのステージ、このステージ上に載置された書籍を見開きの状態でおいて、照明光源としての左右一対の反射光照明手段４、台座１上に載置された被写体を撮影するための写真撮影手段（カメラ）３、台座を上下動させるための手段１６などを備えている（図１０（ａ））。
又、物品を中に置いて写真を撮影する組み立て式の装置がある（図１０（ｂ）特許文献２特開２００１−１７４８８５号公報、特許文献3特開２００２−２５８３６５号公報）。
いずれも書籍の複写に対する工夫がなされておらず、見開きの状態にある書籍など複製を撮影しようとすることでは、根本的な解決にはなっていない。
簡便に書籍の必要とする複製箇所を見開の部分を平面とし、写真撮影を支障なく行うことができることについての根本的な解決は行われておらず、手間をかけずに開いた状態として撮影する装置の開発が必要とされている。
【特許文献１】実開平５−５５４１６号公報
【特許文献２】特開２００１−１７４８８５号公報
【特許文献３】特開２００２−２５８３６５号公報
【発明の開示】
【発明が解決しようとする課題】
【０００５】
本発明が解決しようとする課題は、簡便に書籍の必要とする複製箇所を見開の部分を平面とし、写真撮影を支障なく行うことができる新規な書籍撮影装置を提供することである。
【課題を解決するための手段】
【０００６】
（ア）本発明者らは鋭意前記課題について研究した。
分厚い閉じた状態の書籍を、水平の状態として見開きの状態とすると、見開きとなる一方の部分は、水平の表紙の部分からから離れて、とじた部分から見開きの部分の中央に向かって丸みを帯びた状態で盛り上がる部分を形成する結果、平面を形成しないので、写真撮影に支障をきたすことがある（図７（ａ））。書籍の表面に透明板などを置いて平面状とする場合には綴じの部分については平面状とすることができず、綴じ部分を十分に開いて、平面の状態として撮影することができない（図７（ｂ））。また、このような取り扱いは本を著しく傷める結果となる。
（イ）この状態を改善すべく、本発明者らは実験を積み重ね、以下の点を見いだして前記問題点を解決することができることを見いだした。
書籍が半開きに見開いた状態で、適切な角度にして見開きの状態にすると、写真を撮影しようとする部分の見開いた一方の部分が丸みを帯びることなく平面を形成することができる（図７（Ｃ）、図１）。
（ウ）最初に示す簡易書籍撮影装置は、後述する簡易書籍撮影装置の中の簡易書籍撮影装置として必要部分を取り出して構成した装置である（図１３）。
（請求項１）
半開きに見開いた状態の書籍のほぼ水平の状態に置かれた撮影する頁の表面に、接触させて、ほぼ水平の状態に配置する平面状の台座と、前記半開きに見開いた書籍の前記撮影する頁と連結されている撮影しない頁の表面を、接触させて支持する前記台座と連結された平面状の壁部材と、前記台座に対して所定の間隔を設けて上方に配置され、写真撮影手段を設置するための部材と、を備え、前記台座と前記壁部材とのなす角度が８０°から９０°の角度になるように設定されており、前記写真撮影手段を用いて撮影可能としたことを特徴とする書籍撮影装置。
（請求項２）
前記写真撮影手段の近傍に配置された照明装置が備え付けられ、前記半開きに見開いた書籍の撮影する頁を前記照明装置により照明しつつ撮影可能としていることを特徴とする請求項１記載の書籍撮影装置。
次の請求項３の発明は、図１から３に示されている。
請求項３は、半開きに見開いた状態の書籍のほぼ水平の状態に置かれた撮影する頁の表面に接触させて、ほぼ水平の状態に配置する平面状の台座と、前記半開きに見開いた書籍の前記撮影する頁と連結されている撮影しない頁の表面を、接触させて支持する前記台座と連結された平面状の壁部材を含むフード部材とを
（請求項３）
半開きに見開いた状態の書籍のほぼ水平の状態に置かれた撮影する頁の表面に、接触させて、ほぼ水平の状態に配置する平面状の台座と、前記半開きに見開いた書籍の前記撮影する頁と連結されている撮影しない頁の表面を、接触させて支持する前記台座と連結された平面状の壁部材を含むフード部材と、前記台座に対して所定の間隔を設けて上方に配置され、写真撮影手段を設置するための部材と、前記写真撮影手段の近傍に配置された照明装置と、を備え、前記台座と前記壁部材とのなす角度が８０°から９０°の角度になるように設定されており、前記半開きに見開いた書籍の撮影する頁を前記照明装置により照明しつつ、前記写真撮影手段を用いて撮影可能としたことを特徴とする書籍撮影装置。
（請求項４）
前記ほぼ水平の状態に配置する平面状の台座は、透明度が高い平面状の部材、又は、開口部を有する枠状の板部材で構成されることを特徴とする請求項１から３いずれか記載の書籍撮影装置。
（請求項５）
前記ほぼ水平の状態に配置する平面状の台座と、前記平面状の壁部材とは、折り曲げ可能であり、柔軟な材料により構成されることを特徴とする請求項１〜４いずれか記載の書籍撮影装置。
（請求項６）
前記照明装置が前記フード部材の内側に固定設置されていることを特徴とする請求項３〜５いずれか記載の書籍撮影装置。
（請求項７）
前記写真撮影手段がリモートコントロール操作により遠隔操作されることを特徴とする請求項１〜６いずれか記載の書籍撮影装置。
（請求項８）
前記台座と壁部材とが、個別に形成されており、書籍撮影に際して両者を組み合わせて使用することを特徴とする請求項１〜７いずれか記載の書籍撮影装置。
（請求項９）
前記ほぼ水平の状態に配置する平面状の台座と、前記平面状の壁部材とが、相対的に回転移動可能に連結されており、書籍の撮影に際して、前記半開きに見開いた状態の書籍のほぼ水平の状態に置かれた撮影する頁の表面に、前記台座を接触させて配置し、前記壁部材とのなす角度を決めて固定することを特徴とする請求項１〜８いずれか記載の書籍撮影装置。
（請求項１０）
前記フード部材の端部が、前記台座の前記壁部材をはさんだ両端部に設けた２つの支持部材により回転可能に固定されており、前記フードを回動させて、半開きに見開いた状態の書籍のほぼ水平の状態に置かれた撮影する頁の表面に接触させて、ほぼ水平の状態に配置する平面状の台座を可視できることを特徴とする請求項３〜９いずれか記載の書籍撮影装置。
（請求項１１）
半開きに見開いたほぼ水平の状態に置かれた書籍の撮影する頁が載置される、ほぼ水平の状態の台座、前記半開きに見開いた書籍の前記撮影する頁と連結されている書籍の撮影しない頁が載置される平面状の壁部材を含むフード部材と、前記台座に対して所定の間隔を設けて上方に配置され、写真撮影手段を設置するための部材と、前記写真撮影手段の近傍に配置された照明装置と、を備え、前記台座と前記台座と前記壁部材とのなす角度が８０°から９０°の角度になるように設定されており、前記半開きに見開いた書籍の撮影する頁を前記照明装置により照明しつつ、前記写真撮影手段を用いて撮影可能としたことを特徴とする書籍撮影装置。
（請求項１２）
前記半開きに見開いた書籍の撮影する頁の表面に接触して、開口部を有する枠状の板部材が設けられていることを特徴とする請求項１１記載の書籍撮影装置。
（請求項１３）
前記ほぼ水平の状態に配置する平面状の台座と、前記平面状の壁部材とは、折り曲げ可能であり、柔軟な材料により構成されることを特徴とする請求項１１又は１２に記載の書籍撮影装置。
（請求項１４）
前記照明装置が前記フード部材の内側に固定設置されていることを特徴とする請求項１１〜１３いずれか記載の書籍撮影装置。
（請求項１５）
前記写真撮影手段がリモートコントロール操作により遠隔操作されることを特徴とする請求項１１〜１４いずれかに記載の書籍撮影装置。
（請求項１６）
前記台座と壁部材とが、個別に形成されており、書籍撮影に際して両者を組み合わせて使用することを特徴とする請求項１１〜１５いずれか記載の書籍撮影装置。
（請求項１７）
前記ほぼ水平の状態に配置する平面状の台座と、前記平面状の壁部材とが、相対的に回転移動可能に連結されており、書籍の撮影に際して、前記半開きに見開いた状態の書籍のほぼ水平の状態に置かれた撮影する頁の表面に、前記台座を接触させて配置し、前記壁部材とのなす角度を決めて固定することを特徴とする請求項１１〜１６いずれか記載の書籍撮影装置。
（請求項１８）
前記フードの端部が、前記台座の前記壁部材をはさんだ両端部に設けた２つの支持部材により回転可能に固定されており、前記フードを回動させて、半開きに見開いた状態の書籍のほぼ水平の状態に置かれた撮影する頁の表面に接触させて、ほぼ水平の状態に配置する平面状の台座を可視できることを特徴とする請求項１１〜１７いずれか記載の書籍撮影装置。
【発明の効果】
【０００７】
本発明によれば、必要とされている書籍の複製箇所を見開いた状態としたときに、格別の手間をかけずに開いた部分を平面化することができるので、従来写真撮影や複写機により複写する場合に必要とされていた複写しようとする部分を、書籍を押し広げることにより書籍を傷つけたりすることなく、複写することができる。
【発明を実施するための最良の形態】
【０００８】
本発明の書籍撮影装置について図面を用いて説明する。
最初に示す簡易書籍撮影装置は、後述する簡易書籍撮影装置の中の簡易書籍撮影装置とし
て必要部分を取り出して構成した装置である（図１３）。
半開きに見開いた状態の書籍のほぼ水平の状態に置かれた撮影する頁の表面に、接触させて、ほぼ水平の状態に配置する平面状の台座と、前記半開きに見開いた書籍の前記撮影する頁と連結されている撮影しない頁の表面を、接触させて支持する前記台座と連結された平面状の壁部材と、前記台座に対して所定の間隔を設けて上方に配置され、写真撮影手段を設置するための部材と、を備え、前記台座と前記壁部材とのなす角度が８０°から９０°の角度になるように設定されており、前記写真撮影手段を用いて撮影可能としたことを特徴とする書籍撮影装置（請求項１）。
前記写真撮影手段の近傍に配置された照明装置が備え付けられ、前記半開きに見開いた書籍の撮影する頁を前記照明装置により照明しつつ撮影可能としていることを特徴とする請求項１記載の書籍撮影装置（請求項２）。
前記平面状の台座は、撮影しようとする書籍の表面に置かれるので、透明度が高いプラスチックを用いる。透明度が高い樹脂であれば問題ない。透明性が必要とされるので、アクリル樹脂などが用いられる。平面状の壁部材には、撮影しようとする書籍の表面に置かれることがなく、透明度が高いことは要求されず、プラスチックを用いる。
図７に従来から用いられているガラス板も使用できる。台座及び支え部からなる成形体は下におかれる書籍を上から圧迫して押し広げ、半開きに見開いた状態の書籍の撮影しようとする部分２４及び半開きに見開いた状態の他の書籍の部分２５の各表面が平面状になるように作用している。
台座２１と連絡された平面状の壁部材２２は、組み合わされて形成されてもよいし、一体として成形されていてもよい。前記台座２１と前記壁部材２２とのなす角度が８０°から９０°の角度になるように設定されている。半開きに見開いた状態の書籍の撮影しようとする部分２４及び半開きに見開いた状態の他の書籍の部分２５を平面状に保つことが可能となり、書籍の撮影に支障がない。
後述の書籍撮影装置の場合と比較すると、この場合には台座及び支え部の下の部分に書籍
が置かれることとなる。
【０００９】
半開きに見開いた状態の書籍のほぼ水平の状態に置かれた撮影する頁の表面に、接触させて、ほぼ水平の状態に配置する平面状の台座と、前記半開きに見開いた書籍の前記撮影する頁と連結されている撮影しない頁の表面を、接触させて支持する前記台座と連結された平面状の壁部材を含むフード部材と、前記台座に対して所定の間隔を設けて上方に配置され、写真撮影手段を設置するための部材と、前記写真撮影手段の近傍に配置された照明装置と、を備え、前記台座と前記壁部材とのなす角度が８０°から９０°の角度になるように設定されており、前記半開きに見開いた書籍の撮影する頁を前記照明装置により照明しつつ、前記写真撮影手段を用いて撮影可能としたことを特徴とする書籍撮影装置（請求項３）。
請求項３は図１から図３で示されている。
請求項３は、フードと壁部材の位置関係が、平面状の壁部材にフードが内接することを明らかにしている。すなわち、フードの外側に、平面状の壁部材が配置されることを示している。平面状の壁部材は、半開きに見開いた書籍の前記撮影する頁と連結されている撮影しない頁の表面を、接触させて支持する前記台座と連結された平面状の壁部材は、フードと内接し、壁部材の外側には、半開きに見開いた書籍の前記撮影する頁と連結されている撮影しない頁を含む書籍が配置される。
前記ほぼ水平の状態に配置する平面状の台座は、透明度が高い平面状の部材、又は、開口部を有する枠状の板部材で構成されることを特徴とする請求項１から３いずれか記載の書籍撮影装置（請求項４）。
前記ほぼ水平の状態に配置する平面状の台座と、前記平面状の壁部材とは、折り曲げ可能であり、柔軟な材料により構成されることを特徴とする請求項１〜４いずれか記載の書籍撮影装置（請求項５）。
請求項５は、前記ほぼ水平の状態に配置する平面状の台座の形状を特定しているものある。高い平面状の部材、又は、開口部を有する枠状の板部材で構成されることを明らかにしている。
前記照明装置が前記フード部材の内側に固定設置されていることを特徴とする請求項３〜５いずれか記載の書籍撮影装置（請求項６）。
前記写真撮影手段がリモートコントロール操作により遠隔操作されることを特徴とする請求項１〜６いずれか記載の書籍撮影装置（請求項７）。
前記台座と壁部材とが、個別に形成されており、書籍撮影に際して両者を組み合わせて使用することを特徴とする請求項１〜７いずれか記載の書籍撮影装置（請求項８）。
前記ほぼ水平の状態に配置する平面状の台座と、前記平面状の壁部材とが、相対的に回転移動可能に連結されており、書籍の撮影に際して、前記半開きに見開いた状態の書籍のほぼ水平の状態に置かれた撮影する頁の表面に、前記台座を接触させて配置し、前記壁部材とのなす角度を決めて固定することを特徴とする請求項１〜８いずれか記載の書籍撮影装置（請求項９）。
前記フード部材の端部が、前記台座の前記壁部材をはさんだ両端部に設けた２つの支持部材により回転可能に固定されており、前記フードを回動させて、半開きに見開いた状態の書籍のほぼ水平の状態に置かれた撮影する頁の表面に接触させて、ほぼ水平の状態に配置する平面状の台座を可視できることを特徴とする請求項３〜９いずれか記載の書籍撮影装置（請求項１０）。
フード部材の内側に照明装置が前記フード部材の内側に固定設置されていることを特定している。
【００１０】
図１は請求項３で示される書籍撮影装置の状態を説明する図である。
書籍撮影装置は、半開きに見開いた状態にある書籍５の撮影する頁２４が平面を形成して
いる状態で載置されている台座２１、及び台座上の書籍の撮影する頁２４を照明する照明
手段及び写真撮影手段３が固定設置され、かつ台座を取り囲んでいるフード２からなり、
台座から接続する半開きに見開いた状態にある書籍の壁部１７が外接しており、フード２
は台座１の上に接触して構成されている。
台座１の面積がフード２の面積が大きい場合である。台座の上の見開いた書籍の前記撮影
する頁の一部が覆いかぶさることがなければ充分に使用できる。前記半開きに見開いた書
籍の撮影する頁の表面に接触して、開口部を有する枠状の板部材を用いることが出来る。
図２及び図３は、フード２の面積が台座１の面積より大きい場合である。この場合には、
フードが写真撮影の邪魔になることはない。
前記半開きに見開いた書籍の撮影する頁の表面に接触して、開口部を有する枠状の板部材
載せて使用できる。
請求項１１は、以下のとおりである。
（請求項１１）
半開きに見開いたほぼ水平の状態に置かれた書籍の撮影する頁が載置される、ほぼ水平の状態の台座、前記半開きに見開いた書籍の前記撮影する頁と連結されている書籍の撮影しない頁が載置される平面状の壁部材を含むフード部材と、前記台座に対して所定の間隔を設けて上方に配置され、写真撮影手段を設置するための部材と、前記写真撮影手段の近傍に配置された照明装置と、を備え、前記台座と前記台座と前記壁部材とのなす角度が８０°から９０°の角度になるように設定されており、前記半開きに見開いた書籍の撮影する頁を前記照明装置により照明しつつ、前記写真撮影手段を用いて撮影可能としたことを特徴とする書籍撮影装置。
図８及び図１２で示されている。
前記平面状の壁部材を含むフード部材は、前記平面状の壁部材にフードが内接する場合を
意味している。
（請求項１２）
前記半開きに見開いた書籍の撮影する頁の表面に接触して、開口部を有する枠状の板部材が設けられていることを特徴とする請求項１１記載の書籍撮影装置。
（請求項１３）
前記ほぼ水平の状態に配置する平面状の台座と、前記平面状の壁部材とは、折り曲げ可能であり、柔軟な材料により構成されることを特徴とする請求項１１又は１２に記載の書籍撮影装置。
（請求項１４）
前記照明装置が前記フード部材の内側に固定設置されていることを特徴とする請求項１１〜１３いずれか記載の書籍撮影装置。
（請求項１５）
前記写真撮影手段がリモートコントロール操作により遠隔操作されることを特徴とする請求項１１〜１４いずれかに記載の書籍撮影装置。
（請求項１６）
前記台座と壁部材とが、個別に形成されており、書籍撮影に際して両者を組み合わせて使用することを特徴とする請求項１１〜１５いずれか記載の書籍撮影装置。
（請求項１７）
前記ほぼ水平の状態に配置する平面状の台座と、前記平面状の壁部材とが、相対的に回転移動可能に連結されており、書籍の撮影に際して、前記半開きに見開いた状態の書籍のほぼ水平の状態に置かれた撮影する頁の表面に、前記台座を接触させて配置し、前記壁部材とのなす角度を決めて固定することを特徴とする請求項１１〜１６いずれか記載の書籍撮影装置。
（請求項１８）
前記フード部材の端部が、前記台座の前記壁部材を、はさんだ両端部に設けた２つの支持部材により回転可能に固定されており、前記フードを回動させて、半開きに見開いた状態の書籍のほぼ水平の状態に置かれた撮影する頁の表面に接触させて、ほぼ水平の状態に配置する平面状の台座を可視できることを特徴とする請求項１１〜１７いずれか記載の書籍撮影装置。
【００１１】
前記ほぼ水平の状態の台座、平面状の壁部材がなす角度は８０度から９０度であり、前記平面状の壁部材はフード部材に対して傾斜して設けられている。
前記書籍が半開きに見開いた状態の台座と対峙する壁部と台座がなす角度が８０度から９０度に前記一部の壁部が傾斜している場合には台座上の書籍は安定した平面の状態に維持できるので、好ましい（図８、図１２）。
【００１２】
前記一部の壁部１７は、折り曲げ可能な柔軟な材料により構成されている。
半開きに見開いた状態の書籍の撮影する頁の下面にある平面状の台座１，及び半開きに見開いた状態の書籍の撮影しない頁の下面に設けられている平面状の壁部材に内接するフード部材は、台座の移動に対して、邪魔にならないようにするために、折り曲げ可能な柔軟な材料により形成されていることが必要となる。
折り曲げ可能な柔軟な材料には、布製、不織布製、紙製又はプラスチック製などがある。台座の移動には、書籍が存在する部分がまくれあげることができ、書籍に厚みがある場合であっても、書籍とフードと台座の部分の間では前記材料が柔軟なために、隙間が生じない。その結果、良好な状態で撮影が可能となる
【００１３】
前記半開きに見開いた状態にある書籍の撮影しようとしている部分が見開いた部分の書籍全体の部分を残して、台座上のその残余の部分が、フードの底部に設けられているフードの内側に向かって折り返す部分により覆われており、その残余の部分をフードにより押圧されていることにより、フードは台座上に固定される。
折り返し部分については図１には示されていない。後述する図２には、折り返し部分の説明されている。
【００１４】
前記半開きに見開いた状態にある書籍の撮影しようとしている部分が見開いた部分の撮影箇所を残して、書籍の残余の部分が枠体により覆われており、枠体は半開きに見開いた状態にある書籍の撮影しようとしている部分の表面に置かれ、枠体は書籍の残余の部分を押圧することにより、書籍を固定している。
枠体は半開きに見開いた状態にある書籍の撮影しようとしている部分が丸みを帯びることなく平面を形成している状態に保つうえで有効である。
枠体の大きさは、見開きの書籍の大きさであるＡ４、Ａ５、Ｂ４、Ｂ５、菊版などの大きさに応じて、同じ大きさに作製しておいて、必要に応じて適宜交換、選択して使用することが有効である。
【００１６】
図２及び３の書籍撮影装置のフード２には、台座上の撮影しようとしている書籍の部分を照明する照明手段及び写真撮影手段３（この場合には写真撮影装置が両方を兼ねている。当然、頂部分の適当な位置に設置される。照明手段は後述するようにフード内に設置することもでき、この場合には写真撮影手段によるものを使用しなくてもよい。）が固定設置されている。
このフード２は、一部の壁部１７と他の壁部より構成されている。
一部の壁部１７は、半開きに見開いた状態の書籍の撮影しようとする部分５の下面にある平面状の台座１、及び半開きに見開いた状態の他の書籍の部分の下面に設けられている支え部２２の間に存在するフードを構成する一部の壁１７である。台座の出し入れなどの移動に対して、邪魔にならないようにするために、折り曲げ可能な柔軟な材料により形成されていることが必要となる。
台座上の書籍の撮影しようとしている部分を含む書籍にはフード２の端部が直接接触している。
【００１７】
図１２の場合は以下の通りである。
半開きに見開いた状態にある書籍の撮影しようとしている部分が平面を形成している状態で前記見開いた状態にある書籍の表面に載置されている台座、及び台座上の書籍の撮影しようとしている部分を真上より照明する照明手段及び写真撮影手段が固定設置され、かつ台座を取り囲んでいる壁部から構成されるフードからなり、台座から続く支え部の上の半開きに見開いた状態にある書籍の部分が一部の壁部に外接しており、台座を取り囲んでいる一部の壁部と台座の角度が８０°から９０°であり、前記一部の壁部が傾斜して設けられているフードは台座の上に接触して構成されていることを特徴とする書籍撮影装置。
図８の場合は以下の通りである。
前記台座を取り囲んでいる一部の壁部１７と台座のなす角度は８０°から９０°であり、前記一部の壁部が平面に対して傾斜して設けられている。撮影しようとしている書籍の部分を平面に保つ場合には、前記角°とすることがよい。前記書籍が半開きに見開いた状態の台座と対峙する壁部と台座がなす角度が８０°から９０°に前記一部の壁部が傾斜している場合には台座上の書籍は平面の状態に維持できるので、好ましい。前記の構造とすることは、フードの端に対して一部の壁部がなす角°が、８０°から９０°に傾斜しているようにフードを形成することを意味する。
【００１８】
前記一部の壁部１７は、折り曲げ可能な柔軟な材料により構成されている。
半開きに見開いた状態の書籍の撮影しようとする部分５の下面にある平面状の台座１，及び半開きに見開いた状態の他の書籍の部分の下面に設けられている支え部２２の間にあるフードの一部の壁１７は、台座の移動に対して、邪魔にならないようにするために、折り曲げ可能な柔軟な材料により形成されていることが必要となる。
折り曲げ可能な柔軟な材料には、布製、不織布製、紙製又はプラスチック製などがある。台座の移動には、書籍が存在する部分がまくれあげることができ、書籍に厚みがある場合であっても、書籍とフードと台座の部分の間では前記材料が柔軟なために、隙間が生じない。その結果、良好な状態で撮影が可能となる。
【００１９】
以下については、図２により説明する。
前記半開きに見開いた状態にある書籍の撮影しようとしている部分が見開いた部分を残して書籍の残余の部分が、フード２の底部に設けられているフードの内側に向かって折り返す部分７により覆われており、書籍の残余の部分がフード２により押圧されることにより、フードは書籍の残余の部分を固定している。
【００２０】
以下については、図３により説明する。
前記半開きに見開いた状態にある書籍の撮影しようとしている部分が見開いた部分の撮影箇所を残して、書籍の残余の部分が枠体８により覆われており、枠体８はフード底部及び見開いた撮影しようとする書籍を含む書籍の間に挿入され、フード底部及び枠体８は書籍の残余の部分を押圧することにより、書籍を固定している。
枠体は半開きに見開いた状態にある書籍の撮影しようとしている部分が丸みを帯びることなく平面を形成している状態に保つうえで有効である。
枠体の大きさは、見開きの書籍の大きさであるＡ４、Ａ５、Ｂ４、Ｂ５、菊版などの大きさに応じて、同じ大きさに作製しておいて、必要に応じて適宜交換、選択して使用することが有効である。
【００２１】
前記書籍が半開きに見開いた状態であり、見開いた部分が丸みを帯びることなく平面を形成している状態で載置されている台座１に、書籍の見開いた部分が丸みを帯びることなく半開きに見開いた状態の角度に固定するための手段を設置することができる（図４）。
前記したように前記書籍が半開きに見開いた状態であり、見開いた部分が丸みを帯びることなく平面を形成している状態に載置されている台座１が、固定され、書籍が半開きに見
開いた状態の角度で、書籍の見開
き部分を平面状とすることができる特定の角度に固定するための手段（図４）を用いて、台座部分が特定の角度に固定することができ、一層確実に、書籍が半開きに見開いた状態であり、見開いた部分が丸みを帯びることなく平面を形成している状態に台座を保つことができる。
半円形部分は、中心がピン１４により台座１に固定されている。台座は回動可能に固定されている。適切な角度になった場合には固定する孔にねじを差し込んで台座を適切な角度に固定する。台座にはこれに対応して孔が設けられている。
９０°未満の角度で固定することは可能であるが、台座に照明をすることなどを考慮すると、適当でない。
【００２２】
図５は、本発明の書籍撮影装置を組立てる経過を示す図である。
書籍撮影装置の部材が袋などに収納されている状態から書籍撮影装置の部材を取り出して、書籍撮影装置として組立てた経過を示している。
装置全体は折りたたんで袋などに収納されている（左最上部）。収納されている組立部材を取り出して（右最上部）、以降は装置を組み立てる状態を示している。
フードはプラスチック板、木材板材、金属板材などを壁として通常の接合手段により組立や解体可能の状態に設定することもできるし、段ボール製で折り曲げや組み立て可能な状態として用いることができる。必要に応じて組み立てて使用することができる。
本発明の装置の書籍撮影装置では、照明手段（具体的には特定の波長のライトを出す照明器具）及び写真撮影手段（具体的には、映像を撮影するカメラ）をフードに接して固定することが必要となるが、両者の設置場所をフード頂部に固定設置することができる（図５）。照明手段には写真撮影手段のフラッシュと兼用して用いることもできる。
【００２３】
図６は本発明の書籍撮影装置を組み立てた状態で、書籍撮影装置の内側に設けられている照明手段、及び写真撮影手段がフード頂部に固定設置されていること示す図である。
中央に示されているには書籍撮影装置を組み立てた状態の外観を示す。
前記見開いた部分を照明する照明手段をフード壁部内側に固定設置することを説明する図（右下の図）、及び照明手段のLEDを固定することを示す図（左下の図）である。写真撮影手段がフード頂部に固定設置することもできる（左上の図）。
写真撮影手段の近辺に通常写真撮影に用いられるランプを固定設置することもできる。照明手段に用いる光源は適宜選択使用する。
【００２４】
フードの内側は光を反射することができる材料でコートすることが有効である。
前記したように、フードの書籍が半開きに見開いた状態の側と対峙するフードの壁部（図１の（１７））で述べたように、壁部を折り曲げ可能な柔軟な材料により形成することもできる。布製で、書籍と接触する部分がまくれあがることができ、書籍の厚みを考慮しても、書籍とフードの部分の間に隙間が生じないので、良好な状態で撮影が可能となる。
【００２５】
図８は、前記書籍撮影装置の請求項１１を示す図である。
この書籍撮影装置では、半開きに見開いた状態の書籍の部分が丸みを帯びることなく平面を形成している状態で載置されている台座と書籍が半開きに見開いた状態の側と対峙する壁部が折り曲げ可能な柔軟な材料により形成されているフードにより、撮影する頁を半開きの状態とする。しかしながら、その状態では、時として書籍の中央部が盛り上がってしまうので、できるだけ閉じた状態とする方が書籍の中央部が盛り上がりを防止できるということが観察される。この角度が鋭角にすることは本を見開きにするうえから、書籍は閉じられている状態となり適当でないと考えられていた。本発明者らは敢えて鋭角の常態とすることを具体的な状態とともに検討してみた。
前記折り曲げ可能な柔軟な材料により形成されているフードと平面がなす角度が８０°から９０°であるようにフードを傾斜して形成する（角度については、白抜きで表示している）。その結果、書籍の盛り上がりを防止してでき、直角に近いことから、書籍の見開きについても支障がなく、書籍の撮影が可能であることを見出した。
また、この角度を採用することは前記の装置においても有効であること、及び適用できることは自明である。
前記写真撮影手段３は、リモートコントロール操作により遠隔操作される（リモートコントロール操作は通常の撮影に用いられるものであり、図示していない。）。
書籍撮影装置内部の書籍の状態を検知するための検知手段がフード頂部に固定設置されている。書籍の状態を検知するための検知手段１８はミラーである。
【００２６】
ほぼ水平の状態に配置する平面状の台座と、前記台座と連結された平面状の壁部材とが、図８で説明したように前記折り曲げ可能な柔軟な材料により形成されている。
図９左側は、図８に示された状態の書籍撮影装置の改良された装置を用いて書籍が半開きに見開いた状態のほぼ水平の状態に配置する平面状の台座と、前記半開きに見開いた書籍の前記撮影する頁と連結されている撮影しない頁の表面を、接触させて支持する前記台座と連結された平面状の壁部材とが、角度が８０°から９０°であるように傾斜している状態で、書籍を写真撮影装置に固定した状態を示している。
図９右側は、前記一部のフードの端部が台座に回転可能に固定されており（２０）、書籍撮影に際して前記一部のフードの端部を回転させてフードを押し倒している状態を示している。この状態では撮影しようとする書籍は閉じられたままであり、次は撮影しようとする該当部分を開いて、撮影しようとする書籍分を台座上に固定して、再びフードを回転させて、前記一部のフードの端部と台座を固定すると図９左側の図に示す状態となる。見開いた部分の撮影箇所を残して、その残余の部分を覆う枠体８が示されており、書籍の該当箇所を開いた後に書籍の撮影しようとする部分は押さえつつけられて平面状に固定される。前記したようにフードの端部が内側に向かって折り曲げている部分７を設けることにより、見開いた部分の撮影箇所を残して、その残余の部分を覆う枠体８を用いないようにすることもできる。前記書籍撮影に際して前記一部のフードの端部を回転させてフードを押し倒すこと、再びフードを回転させて、前記一部のフードの端部と台座を固定することをリモートコントロール操作により行うことができる（図示せず）。
【図面の簡単な説明】
【００２７】
【図１】本発明のフードが、台座と接触して構成されている書籍撮影装置を示す図
【図２】本発明の台座上の書籍が接触して構成されている書籍撮影装置を示す図
【図３】本発明の台座上の書籍と接触して構成されている書籍撮影装置を示す図
【図４】台座に設けられている書籍が半開きに見開いた状態の角度に固定する手段を示す図
【図５】本発明の書籍撮影装置を組立てる経過を示している図
【図６】本発明の書籍撮影装置を組み立てた状態で、書籍撮影装置の内側に設けられている照明手段、及び写真撮影手段がフード頂部に固定設置されていること示す図
【図７】見開いた状態で綴じの部分が平面にならないこと（ａ）、透明な板を押さえつけて写真撮影を行なうこと（ｂ）、書籍が特定の角度で台座に固定されていると書籍部分が平面を形成すること（ｃ）を示す説明する図
【図８】折り曲げ可能な柔軟な材料により形成されているフードと平面がなす角度が８４°から８６°であることを示す図
【図９】図９左側は、書籍が半開きに見開いた状態の側と対峙する壁部により固定されて状態を示す図  図９右側は、前記一部のフードの端部が台座に回転可能に固定されており、書籍撮影に際して前記一部のフードの端部を回転させてフードを押し倒している状態を示している。
【図１０】従来の写真撮影を行なう装置を示す図
【図１１】複写機による複写を示す図
【図１２】折り曲げ可能な柔軟な材料により形成されているフードと平面がなす角度が８４°から８６°であることを示す図
【図１３】台座及び支え部に載置する書籍の撮影しようとする部分を撮影するために書籍撮影装置
【符号の説明】
【００２８】
１：台座 
２：壁部材を含むフード部材
３：写真撮影手段
４：照明手段
５：書籍
６：照明手段の固定手段
７：フード壁部の端部が内側に向かって折り曲げている部分
８：見開いた部分の撮影する頁の撮影する箇所を残して、その残余の部分を覆う枠状の板
部材
９：台座の角度を固定する手段
１０：複写機本体
１１：カバー
１２：ガラス
１３：雑誌などの調節手段
１４：固定するピン
１５：固定する孔
１６：台座を上下する手段
１７：一部の壁部
１８：書籍の検知手段（ミラー）
１９：台座と壁部材とのなす角度（８０°から９０°）
２０：一部のフードの端部が台座に回転可能に固定され部分
２１：半開きに見開いた状態の撮影する頁の表面に接触して設けられている平面状の台座
２２：半開きに見開いた状態の撮影しない頁の表面に設けられている前記台座と連結され
た平面状の壁部材
２３：台座と壁部材を連絡する部分（角度：８０°から９０°）
２４：半開きに見開いた状態の書籍の撮影する頁
２５：半開きに見開いた状態の書籍の撮影しない頁
【図１】
0005652584.tif 000002
【図２】
0005652584.tif 000003
【図３】
0005652584.tif 000004
【図４】
0005652584.tif 000005
【図５】
0005652584.tif 000006
【図６】
0005652584.tif 000007
【図７】
0005652584.tif 000008
【図８】
0005652584.tif 000009
【図９】
0005652584.tif 000010
【図１０】
0005652584.tif 000011
【図１１】
0005652584.tif 000012
【図１２】
0005652584.tif 000013
【図１３】
0005652584.tif 000014